Podtech/llm-jp-corpus-v4-ja_patent huggingface dataset:
(57)【要約】【課題】竹材を結合した側壁の置物収納箱の提供。【解決手段】本構造は、箱体の上下辺縁に、それぞれ、上辺棒と下辺棒を結合し、箱体の相隣両側板の間は、共同で辺棒を結合し、各辺棒とは固体の側板外表面の間に深さを構成し、この辺棒と側板で囲む領域内に、複数の環状竹材を結合し、側壁が空洞効果を有するが、実質は封閉である置物収納箱を構成する。【選択図】    図１
0003125730.tif 000002
【実用新案登録請求の範囲】
【請求項１】
竹材を結合する置物収納箱であって、
複数の側板と底板を有し、前記側板は垂直に前記底板周辺に連接され、共同で置物空間を構成する箱体と、
厚さが前記側板の厚さより大きく、前記側板の上辺に結合される複数の上辺棒と、
厚さが前記側辺の厚さより大きく、前記側辺の下辺に結合される複数の下辺棒と、
厚さが前記側板の厚さより大きく、相隣する両側板と結合する複数の垂直辺棒と、
前記側板の外表面に結合される複数の環状竹材と、
からなることを特徴とする竹材を結合する置物収納箱。
【請求項２】
前記側板と前記底板は、一体成型の容器であることを特徴とする請求項１に記載の竹材を結合する置物収納箱。
【請求項３】
前記各側板と前記底板は、それぞれ、独立した素子で、前述の方式により容器に形成されることを特徴とする請求項１に記載の竹材を結合する置物収納箱。
【考案の詳細な説明】
【技術分野】
【０００１】
本考案は 物品を収納する箱体構造に関し、詳細には、箱体の側壁に環形竹材を結合し、特殊な視覚効果を達成する収納箱に関する。
【背景技術】
【０００２】
公知の竹材により製造される置物容器は、その構造は、フレーム体と編織体からなり、編織体は、多孔を有した造型で、フレーム体と編織体の結合構造は、粘合方式を採用するか、或いは、線材で穿設する縫合方式でフレーム体内側に編織体を固定するものであった。
【０００３】
現在、竹材を利用した置物収納は、主に、竹を環形状に裁断し、互いを結合固定して、竹材壁を構成し、竹材壁を置物収納箱の周辺範囲に嵌設して、収納箱の側壁を構成する。公知の収納箱の側壁は空洞があり、この設計では、内部の物品が落ちる可能性がある。
【考案の開示】
【考案が解決しようとする課題】
【０００４】
本考案の目的は視覚が創意に溢れる竹編構造で、中空と封閉の視覚効果を兼ね備える収納箱構造を提供することにある。
【課題を解決するための手段】
【０００５】
本考案の収納箱 は、箱体外表面に直接複数の環状竹材を結合し、箱体の各辺は辺棒を設置し、この辺棒と箱体外表面の間に構成された深さは、実質上、竹材の軸向き長さであり、竹材を箱体側壁外表面に結合した後、平整であるが、空洞と封閉効果を有する側壁を構成する。
【０００６】
本考案の第一技術手段は、一体成型方式で、複数の側板と、側板下端に連接された底板を有し、箱体の各側板上下辺、及び、両側板の隣接辺に辺棒を設置し、この辺棒と側板外表面の間により、竹材を配置する領域を形成する。
【０００７】
本考案の第二技術手段は、それぞれ、各側板と底板を形成した後、側板の上辺は複数の上辺棒に結合され、各側板の下辺は複数の下辺棒に結合され、両側板は、共同で、垂直辺棒に結合され、辺棒と側板外表面の間により、竹材を組み立てる領域を形成する。
【０００８】
本考案の第三技術手段は、粘着剤、或いは、釘打ち方式により、辺棒と箱体の側板を結合固定する。
【０００９】
本考案の第四技術手段は、粘着剤、或いは、釘打ち方式により、環状竹材と箱体の側板を結合固定する。
【考案の効果】
【００１０】
本考案の構造により、置物箱としての用途以外に、衣類収納やその他の家具の側壁とし、家具に、新しい視覚効果をもたらす。
【考案を実施するための最良の形態】
【００１１】
図１は、本考案の実施例を示し、立方体の置物箱１は、外表面に複数の直径が異なるが、軸向け長さが接近する環状竹材２を結合して、置物箱の側壁を構成する。
【００１２】
図２は、図１の大部分の竹材２を取り外した後の本考案の置物箱１の構造を示し、置物箱１は、箱体１４、及び、箱体１４の上下方各辺に結合された上辺棒１１と下辺棒１２、からなり、且つ、上下辺棒１１、１２間の箱体１４の各角端は、垂直辺棒１３を結合する。下辺棒１２と辺棒１３の間は、ボルト１５により固定され、留め金や粘着剤で固定してもよい。
【００１３】
図３を参照すると、本考案の置物箱の実施例中、プラスチック材料を一体射出して、複数の側板を有し、且つ、各側板下端に共同で底板（図３では示されない）を結合する箱体１４を成型し、その後、箱体１４上辺の上辺棒１１を、留め金、ボルト、或いは、粘着剤で互いに固定する。且つ、箱体１４各下辺の下辺棒１２は、留め金、ボルト、或いは、粘着剤で互いに固定する。相隣する両側板の間は留め金、ボルト、或いは、粘着剤で互いに固定する。上辺棒１１、下辺棒１２、垂直辺棒１３の厚さは、好ましくは、箱体１４の側板の厚さより大きい。各辺棒を箱体１４に結合後、垂直辺棒１３表面から側板外表面の間に、環状竹材を結合する凹陥領域を形成する。
【００１４】
本考案は、図３で示されるような箱体１４を一体射出成型する以外に、図４のように、各自独立した複数の側板１４１と底板１４２を製造し、更に、側板１４１の上辺を複数の上辺棒１１に結合し、各側板１４１の下辺を複数の下辺棒１２に結合し、両側板１４１の辺棒を共同で、垂直辺棒１３に結合し、辺棒と側板外表面の間に、竹材を組み立てる領域を囲成する。
【００１５】
竹材２は、竹を環形状に切断し、留め金、ボルト、或いは、粘着剤で、置物箱１の側板１４１外表面に結合し、且つ、各竹材２の間も、留め金、ボルト、或いは、粘着剤で互いに固定（図６で示される）し、箱体１４の外面で複数の空洞を有する竹材の側壁を構成する（図５で示される）。竹材２の軸向け長さは、好ましくは、各辺棒から側板１１外表面の深さと等しく、竹材２は側板外表面に結合された後、各竹材に平整な空洞側壁を生成させる。
【００１６】
上述の構造により、置物箱としての用途以外に、衣類収納やその他の家具の側壁（図７で示される）とし、家具に、新しい視覚効果をもたらす。
【図面の簡単な説明】
【００１７】
【図１】本考案の収納箱の立体図である。
【図２】本考案の収納箱の実施立体図である。
【図３】本考案の実施例による箱体の素子組み合わせ関係図である。
【図４】本考案のもう一つの実施例による箱体の素子組み合わせ関係図である。
【図５】本考案の竹材が粘着剤により互いに固定される立体図である。
【図６】本考案の竹材の局部図である。
【図７】本考案の側壁が引き出し式たんすに応用される実施例の立体図である。
【符号の説明】
【００１８】
１        置物箱
１１      上辺棒
１２      下辺棒
１３      垂直辺棒
１４      箱体
１４１    側板
１４２    底板
１５      ボルト
２        竹材
【図１】
0003125730.tif 000003
【図２】
0003125730.tif 000004
【図３】
0003125730.tif 000005
【図４】
0003125730.tif 000006
【図５】
0003125730.tif 000007
【図６】
0003125730.tif 000008
【図７】
0003125730.tif 000009
(57)【要約】【課題】  本考案は、スノーシューのクランプが他人を傷つけるのを避けるため、プロテクターを開発し他人を傷つける事を防止する。【解決手段】本考案は、合成ゴムのプロテクターを作り、クランプを挿入する事で、他人を傷つける事を防止する。プロテクターをスノーシューのクランプにに装着する事で、ザックの両側にストラップにより固着できる。この事によりザックを担いだまま、公共交通機関に乗降りできる。また両手の自由を得られる。本プロテクターは、厚板のゴムの持つ自緊力によりクランプに自己保持をし、プロテクターを挿入するだけで目的を達する。【選択図】図２
0003125756.tif 000002
【実用新案登録請求の範囲】
【請求項１】
スノーシューのクランプ（鉄製の爪）のカバーを目的として、開発されたプロテクターで下記により構成される。
▲１▼  合成ゴムの厚板を材料とした、クランプの形状による分類、クランプ１，２，３に対応する  プロテクター１，２，３
▲２▼  紛失防止用ゴムひも
▲３▼  同ゴムひも取付用留金
▲４▼  プロテクター収納用袋
【考案の詳細な説明】
【技術分野】
【０００１】  本考案は、スノーシューのクランプ（鉄製爪）から、他人を保護する目的で開発したクランプ用プロテクターに関するものである。
【背景技術】
【０００２】スノーシューをザックに取り付けた状態で担いで、列車、電車、バス等公共交通機関へ乗る事は、スノーシューのクランプ（鉄製の爪）で他の乗客を傷つける事に為りかねない。このため現状では、スノーシューを手に持ち、クランプの爪を自分のほうに向け、書き抱えて交通機関に乗降し、目的地雪道に着いて初めて、スノーシューを靴に装着しているのが通常である。
然し雪山への登山、トレッキング、オリエンテーリング等の場合、テント、シュラフ、食料、燃料等の重量も重く、スノーシューを抱きかかえていくのは負担である。更に電車、バス、列車の乗降りには、お金の支払い、切符の提出等で両手を使わなければならない場合が多い。スノーシューをザックに取り付けるには、ザック両側面についているストラップにより、片方ずつ両側面にとりつける。
この場合問題になるのは、クランプがザックに対し内向きに取り付けると、ザックの外皮を傷つけ、防水性の喪失、内部の荷物のはみ出し等に繋がる。然しクランプを外向きに取り付けると、他の人を傷つける事が多々ある。
【考案の開示】
【考案が解決しようとする課題】
【０００３】  登山者、トレッキング、オリエンテーリング等、積雪期屋外スポーツ愛好家が、ザックにスノーシューを取り付けたまま、交通機関へ乗降り時に、現状では、スノーシューを手に持ち、クランプの歯を自分のほうにし、抱きかかえて交通機関に乗降し、目的地の雪道に着いて初めて、靴に装着しているのが通常であるため、両手が自由には使えない点。更に乗降時及び車中、人ごみの中で他人を傷つける心配がある点が、本考案が解決しようとする課題である。
【課題を解決するための手段】
【０００４】この為、ザックに装着したままで交通機関に乗降りし、車中でも人傷つける事の無いよう、且つ両手が自由に使える事を目的のして、スノーシューのクランプ（鉄の爪）保護を目的としてゴム製のプロテクターを開発し上記問題点を解決した。
【考案の効果】
【０００５】  開発したゴム製クランプ用プロテクターをスノーシューに装着し、ザックの両サイドにストラップにて固着し、ザックを担いでＪＲ新宿駅で切符の購入、改札の通過、階段ホームでの人ごみの中の通過、電車の中での近隣の人との接触、更にザックを肩から降ろし、座席に座りザックをひざの間に置き、山手線一周を繰返し試みた。更に雪山等での、毛糸の手袋をしたままでの、装着、脱着の容易に出来る事にたいし、先月の東京における積雪時、二重手袋をしたままでの装着、脱着実験も、非常に容易に出来る事を確認した。この結果開発目的を見事に達成していると判断した。
【考案の実施するための最良の形態】
【０００６】  合成ゴムの厚板を材料とし、クランプの横、高さ、厚み寸法に対し、各々１０ｍｍの余裕を持って、材料を切り出す。厚み方向では左右に１０ｍｍづつの余裕のあるゴム板のセンターで、平面方向では、左右に１０ｍｍづつの余裕を持ち、クランプの長さ分切れ込みを入れる。切れ込みの深さは、クランプの高さ寸法とし、切れ込みの深さに対し、材料は、１０ｍｍの余裕を持つ。プロテクターの底部（切れ込み側）には、クランプの挿入を容易にするための挿入用開口部としてテーパーにカットする。仕上げには、各角角をカットし、アールを与え、紙やすり掛けし商品としての外観を整える。最後
0003125756.tif 000003
れて商品化するのが、本考案を実施するための最良の形態である。
通常クランプは、        ：Ｃ−１，Ｃ−２，Ｃ−３  の３種類
対応するプロテクターは  ：Ｐ−１，Ｐ−２，Ｐ−３  の３種類である。
【実施例】
【０００７】  以下、添付図面に従って説明する。上記（０００６）で記述した内容と同文である。
【図面の簡単な説明】
【０００８】
【図１】Ｐ−１，２，３にＣ−１，２，３が各々挿入された状態を示す。
【図２】スノーシューにプロテクターを装着した状態を示し、且つ本プロテクターも抜け落ちる場合もあり、紛失防止用に全プロテクターに留金をつけ、ゴムひもを通しておく状態を示す。
【符号の説明】
【０００９】Ｃ−１，２，３    クランプ−    １，２，３
Ｐ−１，２，３    プロテクター  １、２、３
【図１】
0003125756.tif 000004
【図２】
0003125756.tif 000005
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
スノーシューのクランプ保護用カバーであって、
それぞれのクランプ（Ｐ１，Ｐ２，Ｐ３）を挿入するためそれぞれのクランプの形状にあわせた凹部をもった合成ゴム製鞘（Ｃ１，Ｃ２，Ｃ３）に止め金を設け、前記合成ゴム製鞘間は前記止め金を通じて脱落及び紛失防止用ゴムひもで結んだことを特徴とするスノーシューの合成ゴム製クランプ保護用カバー。
(57)【要約】      （修正有）【課題】  剣道防具を着用の際（試合・観戦・稽古時など）の貴重品盗難防止対策、運動時のゼッケン袋擦れ落ち対応策、簡単ゼッケン袋脱着対策【解決手段】  本考案は、ゼッケン袋の裏にポケット（小物入）を付けることにより、貴重品を身につけて、運動や移動に動けるので安心であり、盗難防止にも役立ち、マジックテープ（登録商標）により接着固定をすることにより、運動時のゼッケン袋擦れ落ちを防ぎ、ゼッケン袋の脱着が簡単に便利になります【選択図】図１
0003125757.tif 000002
【実用新案登録請求の範囲】
【請求項１】
剣道防具を着用の際（試合・観戦・稽古時など）に、貴重品管理として小物収納スペースを利用することにより、身に着けておけるので安心最適であり、又、激しい運動が生じる際に擦れ落ちることを防ぎ、なおかつ、取り外しも簡単にできる剣道用ゼッケン袋
【考案の詳細な説明】
【技術分野】
【０００１】  本考案は、小物収納及びマジックテープ式剣道用ゼッケン
【背景技術】
【０００２】  剣道防具を着用の際（試合・観戦・稽古時など）、貴重品を自分で管理することができず、手元から離れたところにおいて置く状態で、保管していた。又、激しい運動を生じる際には、ゴムで固定するゼッケン袋の場合は、ゴムの消耗により、ゼッケン袋がはずれ落ちてしまうことや、取り外しが困難であった。
【考案の開示】
【考案が解決しようとする課題】
【０００３】  試合・稽古中には、貴重品等を身につけることができず、別保管のため盗難の発生が多いことや、ゴム式のゼッケンは、運動中にゼッケン袋が擦れ落ちたり、取り外しが困難な欠点がある。従って、貴重品を身につけることや、マジックテープ式のゼッケン袋で固定することで、前述の欠点を解決しようとするものである。
【課題を解決するための手段】
【０００４】  剣道用ゼッケン袋の裏側にポケット（小物入）を設けることで、貴重品を身につけて管理できるとともに、ゼッケン袋を剣道防具（垂）に装着する際に、マジックテープ式にすることにより、固定も強化され、取り外しも簡単でき、課題の解決となる。
【考案の効果】
【０００５】  本考案の剣道用ゼッケン袋は裏のポケット（小物入）に貴重品や鍵等の小物を収容でき盗難防止になり、マジックテープ式によりゼッケンの固定を強化するので、運動中の擦れ落ちの防止や、取り外しも簡単になります。
【考案を実地するための最良の形態】
【０００６】  本考案の剣道用ゼッケン袋は、図−１に示すようにゼッケン袋の裏にポケット（小物入）を付けたこと、ゼッケン袋の裏側上部にマジックテープを備えて両端部を結合可能に形成し接着固定する２点を特徴とする。
【図面の簡単な説明】
【０００７】
【図１】  ゼッケン袋の裏側にポケット（小物入）を付けた正面図である  ゼッケン袋の裏側上部にマジックテープで固定した正面図である
【図２】  従来のゼッケン袋の裏側の正面図でる
【符号の説明】
【０００８】  １、    ポケット（小物入）
２、    マジックテープ
３、    ゴム
【図１】
0003125757.tif 000003
【図２】
0003125757.tif 000004
【手続補正書】
【提出日】平成18年6月22日(2006.6.22)
【手続補正１】
【補正対象書類名】実用新案登録請求の範囲
【補正対象項目名】全文
【補正方法】変更
【補正の内容】
【実用新案登録請求の範囲】
【請求項１】
剣道防具を着用の際に、貴重品の管理として小物収納ポケットを裏に取り付けた構造と、取り外しを簡単にするために面ファスナーを取り付けた構造を有する剣道用ゼッケン袋。
【手続補正２】
【補正対象書類名】明細書
【補正対象項目名】全文
【補正方法】変更
【補正の内容】
【考案の詳細な説明】
【技術分野】
【０００１】  本考案は、小物収納及び面ファスナー式剣道用ゼッケン
【背景技術】
【０００２】  剣道防具を着用の際、貴重品を自分で管理することができず、手元から離れたところにおいて置く状態で、保管していた。又、激しい運動を生じる際には、ゴムで固定するゼッケン袋の場合は、ゴムの消耗により、ゼッケン袋がはずれ落ちてしまうことや、取り外しが困難であった。
【考案の開示】
【考案が解決しようとする課題】
【０００３】  試合・稽古中には、貴重品等を身につけることができず、別保管のため盗難の発生が多いことや、ゴム式のゼッケンは、運動中にゼッケン袋が擦れ落ちたり、取り外しが困難な欠点がある。従って、貴重品を身につけることや、面ファスナー式のゼッケン袋で固定することで、前述の欠点を解決しようとするものである。
【課題を解決するための手段】
【０００４】  剣道用ゼッケン袋の裏側に小物収納ポケットを設けることで、貴重品を身につけて管理できるとともに、ゼッケン袋を剣道防具の垂に装着する際に、面ファスナー式にすることにより、固定も強化され、取り外しも簡単でき、課題の解決となる。
【考案の効果】
【０００５】  本考案の剣道用ゼッケン袋は、裏の小物収納ポケットに貴重品や鍵等の小物を収容でき盗難防止になり、面ファスナー式によりゼッケンの固定を強化するので、運動中の擦れ落ちの防止や、取り外しも簡単になります。
【考案を実地するための最良の形態】
【０００６】  本考案の剣道用ゼッケン袋は、図−１に示すようにゼッケン袋の裏に小物収納ポケットを付けたこと、ゼッケン袋の裏側上部に面ファスナーを備えて両端部を結合可能に形成し接着固定する２点を特徴とする。
【図面の簡単な説明】
【０００７】
【図−１】ゼッケン袋の裏側に小物収納ポケットを付けた正面図であるゼッケン袋の裏側上に面ファスナーで固定した正面図である。
【図−２】従来のゼッケン袋の裏側の正面図でる
【符号の説明】
【０００８】１、    小物収納ポケット
２、    面ファスナー
３、    ゴム
(57)【要約】【課題】  本考案はシャンプーやリンスなどの容器の内容物が底部に残ってしまう不都合を解消する。【解決手段】  本考案は容器本体７の底部の内側下部を円錐状もしくは多角錘状などの傾斜状１にし、吸い上げパイプ２の下部先端の切り欠き３を用いることにより、この課題を解決する。【選択図】図１
0003125752.tif 000002
【実用新案登録請求の範囲】
【請求項１】
シャンプーやリンス、ボディソープ、化粧水などの容器の底部の内側下部を円錐状もしくは多角錘状などの傾斜状にし、内容物の吸い上げパイプの下部先端に切り欠きを入れた容器。
【請求項２】
また、本考案はその他の大小さまざまな容量の容器にも転用できる。
【考案の詳細な説明】
【技術分野】
【０００１】  本考案は、シャンプーやリンス、ボディソープ、化粧水などの容器に関するものであり、【０００２】  その他の大小さまざまな容量の容器にも転用できる容器である。
【背景技術】
【０００３】  従来の容器は、容器の底部が平面の物が利用されている。（図２）
【考案の開示】
【考案が解決しようとする課題】
【０００４】  しかし、従来のような底部が平面の容器では、内容物（シャンプーやリンスなど）を最後まで全て吸い上げるのは困難である。（図２）ポンプの部分を取り外し、容器を逆さまにして使う必要があり、非常に不便である。
【課題を解決するための手段】
【０００５】  そこで、容器の底部内側下部を円錐状もしくは多角錘状にし、吸い上げポンプのパイプ下部先端に切り欠きを入れたものを考案した。（図１）底部の内側下部が円錐状もしくは多角錘状などの傾斜状になっているので内容物は底部の先端に集まり、吸い上げパイプ下部先端に切り欠きが入っているので、内容物を最後まで吸い上げることがより容易になる。（吸い上げパイプ下部先端の切り欠きは必ずしも必要とはしない。）【０００６】  また、請求項２の考案は、シャンプーやリンスなどの５００ｃｃ位の大きさの容量の容器だけでなく、１００ｃｃ以下程度の容量の小さい物から、２０リットルや１００リットル以上の容量の大きな容器でも本考案は有効な効果を上げることが、容易になる。
【考案の効果】
【０００７】  よって、本考案の底部円錐容器により、シャンプーなどを吸い上げポンプを使用し、底部に残った内容物取り出す際、毎回、ポンプ部分を取り外し、容器を逆さまにする必要はなくなる。また、内容物が無くなれば、補充し何度でも繰り返し容器を使うことができる。
【考案を実施するための最良の形態】
【０００８】  本考案に係る底部円錐容器は、図１に示すように、内容物５を入れておくための容器で、容器上部に吸い上げポンプ６があり、底部の内側下部が円錐状もしくは多角錘状などの傾斜のある形状１になっており、吸い上げパイプ２の下部先端は切り欠き３のような形状になっている。底部内側下部の傾斜の角度は、鋭角にしたり鈍角にするなど内容物の粘度に応じて決めればよい。また、吸い上げパイプの長さは底部に少し接触させるか、もしくは僅かに隙間を空ける位が望ましい。素材はプラスティックで形成する事が望ましいが、ガラスやステンレス、陶器などでもよい。
【図面の簡単な説明】
【０００９】
【図１】本考案に係る底部円錐容器の形状を示した断面図である。
【図２】従来の容器の断面図である。
【符号の説明】
【００１０】  １        底部内側下部円錐状もしくは多角錘状などの傾斜状
２        吸い上げパイプ
３        吸い上げパイプ下部先端切り欠き部
４        底部平面
５        内容物（シャンプー、リンスなど）
６        吸い上げポンプ
７        容器本体
【図１】
0003125752.tif 000003
【図２】
0003125752.tif 000004
【手続補正書】
【提出日】平成18年5月10日(2006.5.10)
【手続補正１】
【補正対象書類名】実用新案登録請求の範囲
【補正対象項目名】請求項２
【補正方法】削除
【補正の内容】
【手続補正書】
【提出日】平成18年7月24日(2006.7.24)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
シャンプーやリンス、ボディソープ、化粧水などの容器の底部の内側下部を円錐状もしくは多角錘状などの傾斜状にし、内容物の吸い上げパイプの下部先端に切り欠きを入れた容器。
(57)【要約】【課題】屋外作業、スポーツにおいて有害な紫外線を遮光するため簡単でコンパクトで有りながら首筋まで覆えて、通気性、対ＵＶ遮光性が適宜使い分けられる２ウエイのＵＶ遮光シートを提供する。【解決手段】スパッタリング加工等のＵＶ加工した布辺とメッシュ片のそれぞれ１辺を縫い合わせた１枚のシートにクリップを備え付け帽子係留可能とした。テープを介して取り付けられたプラスッチッククリップは襟に係留され紛失が無く、被せたシートは頭の上で１８０度回転可能なので布辺かメッシュ片か何れを頭部に充てるかによって、頭部、首筋、通気性を適宜選択できるＵＶシート。【選択図】図３
0003125759.tif 000002
【実用新案登録請求の範囲】
【請求項１】
紫外線遮断シートと紫外線遮断メッシュの各々の１辺を縫い合わせ異素材が隣接する１枚のシートに仕立てて帽子の上に載せ、首筋を覆う部分をシートあるいはメッシュと使い分ける事により状況に応じて通気性、遮光性の優先順位を選択できる。
【考案の詳細な説明】
【技術分野】
【０００１】本考案は屋外での長時間作業、スポーツ時での紫外線防御に関する。ＵＶ遮光に高い性能を有する生地加工を利用して布片と網目素材にＵＶ加工を施して連結し帽子の上から被り首筋と頭部を遮光し、同時に生地の前後を変えることにより遮光性と通気性を適宜選択できるツーウエイのシートに関する。
【背景技術】
【０００２】近年オゾン層の破壊進行で太陽光に含まれる紫外線が人体に有害な影響を及ぼす様になってきた。夏の日中、屋外で作業やスポーツをする場合、通常帽子を被る。
しかし長時間にわたる場合首筋を遮光することは極めて重要である。この目的で首筋だけを覆って帽子にとめるメッシュ素材の商品も市販されている。【０００３】しかし如何に優れたスパッタリング技術であってもメッシュ素材に施した場合、生地に比べてＵＶ遮光率は半分以下になってしまう。
【考案の開示】
【本案が解決しようとする課題】
【０００４】夏の日中の日差しの強弱によって、また体感温度の暑寒によって頭部と首筋にあたる太陽光線の遮光率と通気性を適宜選択できる帽子カバーを提供することを目的とする。
【課題を解決するための手段】
【０００５】紫外線遮断効果として高い効果を持つスパッタリング加工を布片、メッシュ片両方に施しお互いの布辺の一辺で縫い合わせ、帽子の上から布部分で被る方法とメッシュ部分で被る方法の二通りの使い方が出来る様に工夫した。
【考案の効果】
【０００６】１枚に縫い合わされた布で帽子の頭部分を覆えば、使用中の帽子にＵＶ加工が施してなくても、強力なＵＶ遮光となる。この装着方法で装着すると首筋部分はメッシュで覆われ、弱いながらもＵＶ遮光効果が維持される。  なお且つメッシュ材なので通気性は有りハイキング中の暑苦しさを和らげる事が出来る。
【０００７】逆にメッシュ部分で帽子の上から覆えば、首筋部分はＵＶ効果の高い布片で覆われることになる。この場合通気性は減少する。
【０００８】帽子と布片はプラスッチッククリップを使って帽子のつばに係留する。他方布辺の接合付近にひもを介して取り付けられたプラスッチッククリップは衣服の襟に係留され、風の有る時にも無くすことがない。
【０００９】選択した布片を帽子に取り付けた後、風や体の動きで装着が不安定であれば、布片と帽子の周囲をゴムロープで圧える。
【図面の簡単な説明】
【００１０】
【図１】  本考案の背面図である。
【図２】  同じく正面図である。
【図３】  布部分を頭に当てて帽子に着けた斜視図である。
【符号の説明】
【００１１】  １  クリップ
２  マジックテープ
３  ＵＶ生地片
４  コードロック
５  コード
６  縫合線
７  ＵＶメッシュ
８  ヘリ巻
９  係留テープ
１０  コード固定
【図１】
0003125759.tif 000003
【図２】
0003125759.tif 000004
【図３】
0003125759.tif 000005
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
紫外線遮断シートと紫外線遮断メッシュの各々の１辺を縫い合わせ異素材が隣接する１枚のシートに仕立てて帽子の上に載せ、首筋を覆う部分をシートあるいはメッシュと使い分ける事により状況に応じて通気性、遮光性の優先順位を選択できる遮光カバー。
【手続補正２】
【補正対象書類名】明細書
【補正対象項目名】００１１
【補正方法】変更
【補正の内容】
【００１１】  １  クリップ
２  マジックテープ（登録商標）
３  ＵＶ生地片
４  コードロック
５  コード
６  縫合線
７  ＵＶメッシュ
８  ヘリ巻
９  係留テープ
１０  コード固定
(57)【要約】【課題】  物を噛む犬の習性を満足させつつ、歯磨き効果、痒み除去効果、ストレス解消効果も付与することができる犬用噛み具を提供することである。【解決手段】  木製の本体（１２）を備え、本体には、ドッグフード類を入れるための１又は複数の穴（１４ａ，１４ｂ，１４ｃ，１４ｄ）が設けられていることを特徴とする犬用噛み具（１０）が提供される。好ましくは、本体にスープがしみ込まされ、或いは犬の好む臭いがスプレーされている。【選択図】  図１
0003125712.tif 000002
【実用新案登録請求の範囲】
【請求項１】
木製の本体を備え、前記本体には、ドッグフード類を入れるための１又は複数の穴が設けられていることを特徴とする犬用噛み具。
【請求項２】
前記本体にスープがしみ込まされ、或いは犬の好む臭いがスプレーされていることを特徴とする請求項１に記載の犬用噛み具。
【考案の詳細な説明】
【技術分野】
【０００１】
本考案は一般に、犬用噛み具に関する。より詳細には、本考案は、物を噛む犬の習性を満足させつつ、歯磨き効果、痒み除去効果、ストレス解消効果も付与することができる犬用噛み具に関する。
【背景技術】
【０００２】
犬は、物を噛む習性を有している。このような犬の噛む習性は、犬の歯を清潔に保つ、一種の歯磨き効果も有している。
【考案の開示】
【考案が解決しようとする課題】
【０００３】
上述の物を噛む習性は、犬にとって必要不可欠な行動であるが、室内犬などが部屋の柱をかじってしまう等の弊害があり、飼い主を悩ましている。一方、犬の歯や歯茎を清潔に保つため、犬が物を噛む習性を規制することは犬の健康にとって好ましくない。また、犬は、成長期において歯に痒みを生ずることが多く、このような痒みを取り除いてやる必要がある。さらに、犬のストレスを解消してやる必要もある。本考案は、このような事情を考慮して案出されたものであって、物を噛む犬の習性を満足させつつ、歯磨き効果、痒み除去効果、ストレス解消効果も付与することができる犬用噛み具を提供することを目的としている。
【課題を解決するための手段】
【０００４】
本願請求項１に記載の犬用噛み具は、木製の本体を備え、前記本体には、ドッグフード類を入れるための１又は複数の穴が設けられていることを特徴とするものである。
【０００５】
本願請求項２に記載の犬用噛み具は、前記請求項１の犬用噛み具において、前記本体にスープがしみ込まされ、或いは犬の好む臭いがスプレーされていることを特徴とするものである。
【考案の効果】
【０００６】
本考案の犬用噛み具によれば、犬の好むドッグフードが詰め込まれているため犬の噛みつきが良く、物を噛む犬の習性を満足させつつ、歯磨き効果、痒み除去効果、ストレス解消効果も付与することができる犬用噛み具が提供される。また、本体にスープがしみ込ませたり、犬の好む臭いをスプレーすることにより、犬の噛みつきが一層良好になる。
【考案を実施するための最良の形態】
【０００７】
次に添付図面を参照して、本考案の好ましい実施の形態に係る犬用噛み具について詳細に説明する。図１は、本考案の好ましい実施の形態に係る犬用噛み具を示した斜視図である。図１において全体として参照符号１０で示される本考案の好ましい実施の形態に係る犬用噛み具は、本体１２を備えている。
【０００８】
図１に示される本体１２は、細長いダンベル状の形状を有している（すなわち、両方の端部１２ａが大径に、中央部１２ｂが小径に形作られている）が、本体１２を他の所望の形状を有するように形作ってもよい。本体１２は、本考案の犬用噛み具１０を犬が噛んだときに、犬の歯に過剰な力が及ぼされないように、適当な種類の木で形成されている。なお、本体１２を形成するのに用いられる木は、内部の水分を取り除くため、煮沸した後に乾燥させたものを利用するのが好ましい。
【０００９】
本体１２には、ドッグフード類を入れるための複数の穴が設けられている。図１に示される例では、一方の端部１２ａにおいて端面から長さ方向に延びた穴１４ａが横断方向に延びた穴１４ｂと内部で連通している（図２参照）。また、他方の端部１２ａにおいても、端面から長さ方向に延びた穴１４ｃが、横断方向に延びた穴１４ｄと内部で連通している。
【００１０】
本体１２に設けられた穴１４ａ、１４ｂ、１４ｃ、１４ｄ内には、犬の好むドッグフード類（例えば、ジャーキー、ドッグ用菓子など）が入れられる。これらのドッグフード類は、所望のものでよいが、外部に出て周囲を汚すことのないように、ウェットフード系のものではなく、ドライフード系のものが好ましい。なお、本明細書において、「ドッグフード類」とは、通常のドッグフードの他、ジャーキーやドッグ用菓子なども含むことを意味している。
【００１１】
また、犬の噛みつきを良くするために、本体１２自体にスープをしみ込ませたり、犬の好みそうな臭いをスプレーしたりしてもよい。
【００１２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１３】
例えば、前記実施の形態では、本体１２の両端部１２ａに穴１４ａ、１４ｂ、１４ｃ、１４ｄが設けられているが、穴の大きさや個数、配置箇所を図示されている以外のものにしてもよい。また、前記実施の形態では、本体１２が１本の木で形成されているものとして示されているが、複数種類の木（例えば、硬い木と軟らかい木）を組み合わせて本体１２を形成してもよい。
【図面の簡単な説明】
【００１４】
【図１】本考案の好ましい実施の形態に係る犬用噛み具を示した斜視図である。
【図２】図１の犬用噛み具の長さ方向断面図である。
【符号の説明】
【００１５】
１０  犬用噛み具
１２  本体
１２ａ  端部
１２ｂ  中央部
１４ａ〜１４ｄ  穴
１６  ドッグフード類
【図１】
0003125712.tif 000003
【図２】
0003125712.tif 000004
(57)【要約】【課題】従来のよだれかけの殆どは紐と前掛け部分からなるもの、あるいは前掛け部分の上部両端を紐の代わりに延長し首後部においてホック等で止めて使用するもので、装着時に首筋とよだれかけとの間に隙間が出来る為、せっかく吸収性の高い素材で作られているよだれかけを使用しているにもかかわらず、食べこぼしやよだれが顎から首筋をつたって衣服にまで達することが多い。【解決手段】紐と前掛け部分からなるよだれかけの紐部分を幅広のテ−プ状とし、装着時にスタンドカラーのような立体形となり顎下の特に汚れやすい前首から胸に架かる部分をカバー出来る。そのため爛れ等のトラブルを起こし易い乳幼児の前首の汚れを軽減出来るだけでなく、衣類まで汚れが直接浸透するのをガード出来る。  【選択図】図１
0003125711.tif 000002
【実用新案登録請求の範囲】
【請求項１】
紐と前掛け部分からなるよだれかけの紐部分を幅広のテ−プ状とし、装着時にスタンドカラーのような立体形となり、顎下の特に汚れやすい前首から胸に架かる部分をカバー出来る事を特徴とするよだれかけ。
【考案の詳細な説明】
【技術分野】
【０００１】
本考案は、乳幼児、要介護者、病院患者、老人などのよだれかけの形状に関するものである。
【背景技術】
【０００２】
従来のよだれかけの殆どは紐と前掛け部分からなるもの、あるいは前掛け部分の上部両端を紐の代わりに延長し首後部においてホック等で止めて使用するもので、特許文献１に示されるように、食べこぼしやよだれ等で下の衣類まで汚すことの無い様、吸収し易い素材を使用した物や、あるいは特許文献２に示されるように部分的に使い捨てにして、洗濯などの手間が省けるように工夫された物もある。
【０００３】
【特許文献１】特開平１０−１３０９０８号公報
【特許文献２】特開平１０−２３７７１２号公報
【考案の開示】
【考案が解決しようとする課題】
【０００４】
通常、せっかく吸収性の高い素材で作られているよだれかけを使用しているにもかかわらず、汚れが首から衣服にまで達する原因の多くは首筋とよだれかけとの隙間にあり、食べこぼしやよだれが顎から首筋をつたって隙間に入る。前首に爛れ等のトラブルを起こし易い乳幼児は特に清潔に保つ必要があるが、前首は汚れてもきれいに拭き取りにくく又汚れに気づきにくい。しかし乳幼児の場合、動きが活発なため従来のよだれかけのように紐等で結びつけるには幾分緩めに装着させる必要があり、どうしても隙間が出来てしまう。
【０００５】
本考案のスタンドカラー式よだれかけは、この隙間を出来るだけ少なくし且つ乳幼児にも無理なく着脱させる事ができるよだれかけを提供することを課題とする。
【課題を解決するための手段】
【０００６】
以上の課題を解決するために、本考案は紐と前掛け部分からなるよだれかけの紐部分を幅広のテ−プ状とし、装着時にスタンドカラーのような立体形となり、顎下の特に汚れやすい前首から胸に架かる部分をカバー出来るよだれかけである。
【考案の効果】
【０００７】
スタンドカラー式よだれかけを装着するだけで、顎下の特に汚れやすい前首から胸に架かる部分をカバー出来るので、食べこぼしやよだれがこれまでの様に顎からつたって首筋とよだれかけとの隙間に入り込みにくい。そのため爛れ等のトラブルを起こし易い乳幼児の前首の汚れを軽減出来るだけでなく、衣類まで汚れが直接浸透するのをガード出来る。
【考案を実施するための最良の形態】
【０００８】
本スタンドカラー式よだれかけは、図１に示すように前掛け部分１とスタンドカラー部分２からなり、スタンドカラー部分２の両端の重ね合わせ部分２Ａはボタン、スナップ、ホック、紐等で止める。
【０００９】
本スタンドカラー式よだれかけの材質は、皮膚に対する刺激性がない素材であれば特に限定されず、吸収性の高い布や紙あるいは反対に水分を通さないビニール等何れでも良い。又乳幼児用に限らず、要介護者、病院患者、老人用のよだれかけ、エプロンなどにも使用する事が出来る。
【実施例１】
【００１０】
図２に示すように幅広のテ−プ状にしたスタンドカラー部分２の重ね合わせ部分２Ａを首の後部で重ね合わせるとスタンドカラーのような立体形となり、顎下の特に汚れやすい前首から胸に架かる部分をカバー出来る。
【実施例２】
【００１１】
図１の実施例では、スタンドカラー部分を首の後部で重ね合わせているが、図３のように重ね合わせ部分を肩線上にし、同様にボタン、スナップ、ホック、紐等で止めても良い。
【図面の簡単な説明】
【００１２】
【図１】本考案の正面図
【図２】本考案の一実施形態を示す側面図
【図３】本考案の他の実施形態を示す斜視図
【符号の説明】
【００１３】
１      前掛け部分
２      スタンドカラー部分  
２Ａ    重ね合わせ部分
【図１】
0003125711.tif 000003
【図２】
0003125711.tif 000004
【図３】
0003125711.tif 000005
(57)【要約】【課題】１枚の封筒を往復で使うようにして、返信用封筒を同封しないで済むようにする。【解決手段】封筒１に返信先２を印刷し、宛先３を印刷した粘着シール４を、返信先２を隠すように封筒１に貼付する。この封筒に書類を入れて封をし、切手を貼って発送する。これを受け取った人が、粘着シール４を剥がすと、封筒面に返信先２が現われ、そのまま返信封筒になる。【選択図】        図１
0003125718.tif 000002
【実用新案登録請求の範囲】
【請求項１】
封筒面に記載されている返信先を隠すように、表面に宛先を記載した剥離自在なシールを貼付した往復封筒。
【請求項２】
封筒面に宛先と返信先の両方を記載し、それら宛先と返信先を選択的に隠すように、張替え可能な粘着シールを封筒に貼付した往復封筒。
【請求項３】
返信先を記載した粘着シールを同封し、返信時、封筒面に記載されている宛先を隠すように該シールを封筒に貼るようにした往復封筒。
【請求項４】
フラップを２分するためにその長手方向に沿ってミシン目を設けた請求項１、２または３に記載の往復封筒。
【請求項５】
該粘着シールにその一部を切り離して封緘に使用できるようミシン目を設けた請求項１、２または３に記載の往復封筒。
【考案の詳細な説明】
【技術分野】
【０００１】
この考案は書類などを郵便等で送るための封筒に関し、受け取った人が返信するときにも使えるようにしたものである。
【背景技術】
【０００２】
送付した契約書、申込書等に承諾印を押して送り返してもらいたい場合、その書類と共に、返信先を記載した返信用の封筒も同封して発送するのが普通である。しかし、発送部数が多い場合、返信封筒の封入作業の手間や、返信封筒代および返信封筒同封のための付加郵便料が無視できない。
【考案の開示】
【考案が解決しようとする課題】
【０００３】
この考案は、資源の節約に資するために、１枚の封筒を往復で使えるようにすることを課題とする。
【課題を解決するための手段】
【０００４】
この考案の往復封筒は、宛先が記載された、剥離可能な粘着シールが封筒に貼ってあり、該シールの下の封筒面に返信先が記載されているものである（請求項１）。
【０００５】
このものは、はじめは封筒に宛先が現われているので、そのまま発送でき、受け取った人がシールを剥せば返信先が現われるので、そのまま返信用に使用することができる。
【０００６】
この考案の別態様の封筒は、封筒面に宛先と返信先の両方を記載し、張替え可能な粘着シールを返信先を隠すよう封筒に貼付したものである（請求項２）。
【０００７】
このものでは、受け取った人が、シールを剥がして宛先を隠すように再び封筒に貼れば、シールを剥がしたときに封筒面に予め記載してあった返信先が現われ、そのまま返信用に使用することができる。
【０００８】
さらに別の態様は、封筒面に宛先を記載し、その宛先を覆い隠すための、返信先を記載した粘着シールを同封したものである（請求項３）。
【０００９】
このものでは、返信時に、宛先を隠すようにシールを貼れば、シールに予め記載してあった返信先が現われ、返信封筒になる。
【００１０】
フラップは、返信時にも使えると便利である。そこで、フラップを２分するようにその長手方向に沿ってミシン目を設ける（請求項４）。こうすれば、ミシン目より先の部分だけを剥がして開封することができ、フラップの残った部分は返信時に封をするのに使うことができる。
【００１１】
なお、返信するときに、封筒を再び封緘するために、セロハンテープ等が必要になるが、その必要をなくすために、シールの一部にミシン目を入れておき、それに沿って粘着テープを切り出して封緘として使用できるようにしてもよい（請求項５）。
【考案を実施するための最良の形態】
【００１２】
この発明の実施例を図面に基づいて説明する。
【００１３】
図１に示すように封筒１に返信先２を印刷しておき（図１ａ）、宛先３を印刷した粘着シール４（図１ｂ）を、返信先２を隠すように封筒１に貼付する（図１ｃ）。この封筒に書類を入れて封をし、切手を貼って発送する。
【００１４】
これを受け取った人が、説明書き５にしたがって粘着シール４を剥がすと、封筒面に返信先２が現われ（図１ａ）、そのまま返信封筒になる。この封筒に送り返すべき書類を入れ、切手を貼って発送する。こうして、１枚の封筒を２度使うことができる。
【００１５】
返信切手はもとの発信者が、シール４の下に隠れるように封筒１に貼っておくこともできる。粘着シール４は、剥がしやすいよう、糊の弱いものを使用するとよい。
【００１６】
図１ｂに示すように、粘着シールの下のほうにミシン目６を入れておき、ここからシールの下部４ａを切り離し、これを封緘として使えるようにしてもよい（図４ｂ）。
【００１７】
封筒のフラップ７であるが、フラップを２分するようにその長手方向に沿ってミシン目８を設ける。こうすれば、図４ａに示すように、ミシン８より先の部分だけを剥がして開封することができる。フラップの残った部分は、図４ｂに示すように、返信時に封をするのに使うことができる。なお、「本封筒は返信にも使用するので、ミシン目８からていねいに開封して下さい。」のような注意書きをフラップに印刷して置くとよい。
【００１８】
次の実施例の封筒は、図２に示すように、封筒１に宛３先と返信先２の両方を、互いに天地を逆に印刷する（図２ａ）。この返信先を隠すように封筒に粘着シール１４を貼り（図２ｂ）、この状態で発送する。
【００１９】
受け取った人は、粘着シール１４を剥がして、返信先２が現れるようにすると共に、剥がしたシールを今度は宛先３を隠すように封筒に貼る（図２ｃ）。これで返信用封筒になる。なお、粘着シール１４は張替えできるよう、糊を弱くしておく。
【００２０】
３番目の実施例は、図３ａのように宛先３を表示した封筒１に、図３ｂに示す返信先２を表示した粘着シール２４を同封して発送する。受け取った人は、同封されたシール２４を、宛先３を隠すように封筒１に貼ることにより、返信用封筒になる（図３ｃ）。
【図面の簡単な説明】
【００２１】
【図１】往復封筒の構成を示す説明図である。
【図２】他の実施例を示す往復封筒の説明図である。
【図３】さらに他の実施例を示す往復封筒の説明図である。
【図４】第１図の封筒の裏面図である。
【符号の説明】
【００２２】
１    封筒
２    返信先
３    宛先
４    粘着シール
６    ミシン目
７    フラップ
８    ミシン目
１４、２４  粘着シール
【図１】
0003125718.tif 000003
【図２】
0003125718.tif 000004
【図３】
0003125718.tif 000005
【図４】
0003125718.tif 000006
(57)【要約】【課題】  従来、梱包用に使われた楔の材料はタンネージ等に用いられる無垢の木材や、ラワン等の熱帯雨林材やポプラ等の平行合板が使われていた。楔の寸法は通常小さな木片であり、そこに大きな釘を複数本打ち込むため、楔がよく割れていた。【解決手段】  植林材で、比重の値が約０．３台と、非常に柔らかくて軽い材であるファルカータを用いることで、釘打ちの抵抗力が小さくなり、割れにくく、且つ軽い梱包用楔を得ることが出来る。【選択図】図１
0003125768.tif 000002
【実用新案登録請求の範囲】
【請求項１】
植林材であるファルカータ（マメ科ネムノキ属）を用いた平行合板から得る梱包用材の楔。
【考案の詳細な説明】
【技術分野】
【０００１】  この考案は、荷物を安全に固定梱包する際に用いる、植林材であるファルカータの平行合板製の楔に関するものである。
【背景技術】
【０００２】  従来、梱包材として用いられる楔はダンネージ等に用いられる、無垢の木材か、ラワン等の熱帯雨林材や、ポプラの平行合板を楔用にも使用していた。
【考案の開示】
【考案が解決しようとする課題】
【０００３】  従来の無垢の木材や平行合板を用いた楔は、小さな木片になった楔に大きな釘を複数本打つため、非常に硬く、また割れやすかった。本考案は、このような欠点を少なくし、作業性を上げるものである。
【課題を解決するための手段】
【０００４】  平行合板は各単板の木目方向を同じ方向にして積層する為、釘打ちをすると割れ易かった。割れを少なくするために、植林材で、比重が０．３台と、非常に柔らかく、軽いファルカータを用いることで、釘の打ち込み抵抗が小さくなり、割れにくい梱包用楔を得ることが出来る。
【考案の効果】
【０００５】  太い釘を複数本打ち込んでも、打ち込み抵抗力の値が小さい為、割れにくく、且つ釘打ちが容易になる。また、楔自体が軽量化され、作業性が向上する。
【考案を実施するための最良の形態】
【０００６】  各単板の厚みを６ｍｍ以下にし、木目方向を平行にして積層接着し、任意の厚さのファルカータ平行合板を得る。本考案の平行合板の厚みが１００ｍｍを超えるものでも、軽量化が計れる。楔の任意の寸法に平行合板を切断し、楔をつくる。
【産業上の利用可能性】
【０００７】  比重の値が小さい、ファルカータの平行合板の楔を使用することで、割れが減少し、軽量化が図れるため、作業性が向上する。更に昨今、木製梱包材に関する国際基準が各国で承認され始めた。この基準は国際貿易に使用される梱包材を消毒処理することを要求している。従来の無垢の木材を利用した梱包用の楔は消毒処理し、処理済を表示するための、定められたスタンプを押すことが要求された。  しかし、既に加工材である平行合板を利用した梱包用材は、この基準の対象から外されている。因って、消毒処理やスタンプ押印の必要はない。以上のような、新たな木製梱包材の環境の中、本考案のファルカータ平行合板製梱包用楔が利用される可能性は大である。
【図面の簡単な説明】
【０００８】
【図１】  本考案の一例の斜視図である。
【記号の説明】
【０００９】  １    長さ方向に木目を持つ単板
【図１】
0003125768.tif 000003
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
ファルカータ単板が積層された梱包用の楔
(57)【要約】【課題】  従来の小便器では、尿受皿にズボン・ズボンの裾が触れ易く体を前に出し難く、尿受皿の手前に飛散して、不潔感及び不衛生であった。また、子供等の使用時の不都合の解消等。【解決手段】  本考案の、尿の飛散を防ぐ小便器Ｂは、小便器の尿受皿２を床面Ｃまで下げ、尿受皿２を跨げる形状にした。またつま先下がりに斜度を付した足形４を足置台１に設け、自然に腰が前方に突き出る姿勢にしたことで解決する。【選択図】図１
0003125762.tif 000002
【実用新案登録請求の範囲】
【請求項１】
小便器の尿受皿を、床面に接する位置まで下げ、且つ尿受皿の先端を、足元の踵まで達する長さとして、尿受皿の両側に足置台を一体形成されたことを特徴とする尿の飛散を防ぐ小便器。
【請求項２】
一体形成された足置台に、つま先下がりに斜度を付した足形を、足置台に設けたことを特徴とする尿の飛散を防ぐ小便器。
【考案の詳細な説明】
【技術分野】
【０００１】  本考案は、小便器の形状に工夫を加えることに依って、尿の飛散を防ぐ小便器に関するものである。
【背景技術】
【０００２】  従来の小便器では、尿受皿の位置、形状が悪く手前に尿が垂れ落ちる不都合があった。
【考案の開示】
【考案が解決しようとする課題】
【０００３】  従来の小便器では、尿の飛散、垂れ落しを防ごうと前に出ると尿受皿に、ズボン、又はズボンの裾が触れ易く一定の間隔を保ってしまい、特に残尿を振り落す行為時には尿受皿の外に飛散してしまう。又子供等は尿受皿に届かず不都合である。従って本考案は、尿受皿の位置、形状、斜度を付した足形を設けた足置台を一体形成したことで前述の欠点を解決しようとするものである。
【課題を解決するための手段】
【０００４】  この課題を解決するための請求項１の考案は、小便器の尿受皿２を床面Ｃに設置、又は床面Ｃに埋め込む。尿受皿２の先端３を、足元の踵まで長くする。この尿受皿２の位置と形状によって尿の飛散を防ぐことが出来る。（図１）【０００５】  また、請求項２の考案は、尿受皿２の両側に足置台１を形成し、且つ上面に、つま先下がりに斜度を付した足形４を一段高く配置して、更にその周囲に溝５を付して一体形成したことで、前述の問題を解決している。
【考案の効果】
【０００６】  よって本考案は、尿受皿２を床面Ｃまで下げ、尿受皿２の先端３を足の踵附近まで長くしたので、子供も楽に跨ぐことが出来る。又残尿を振り落す際も尿受皿２の先端３を長くしたことに依り尿の飛散を防ぐことが出来る。【０００７】  また、つま先下がりに斜度を付した足形４を足置台１に設けたことに依り、図５に示したように従来の直立の姿勢より腰が必然的に前に突き出る態勢となり、飛散、及び残尿の振り落としに依る汚れを防ぐことが出来る。【０００８】  足置台１に溝５と穴６を設けたことで、万一尿受皿２の外側に飛散した場合であっても溝５を伝わり、穴６より尿受皿２に抜け常に清潔である。【０００９】  つま先下がりに斜度を付した足形４を一段高く形成したことで、ズボンの裾等が、尿受皿２の緑７に触れることがなく、安心して前に出て使用できるので常に清潔である。
【考案を実施するための最良の形態】
【００１０】  本考案に係る尿の飛散を防ぐ小便器は、床面に埋め込む方法と、床面に平行に設置出来る二方法が有り必要に応じ易いものである。【００１１】  また、つま先下がりに斜度を付した足形４に滑止として凸凹等を一体形成することで安全性を計ることが出来る。
【図面の簡単な説明】
【００１２】
【図１】  本考案の尿の飛散を防ぐ小便器の斜視図である。
【図２】  本考案の側面図である。
【図３】  本考案の上面図である。
【図４】  本考案に係る図３に示すＡ−Ａ′の断面図である。
【図５】  本考案と、従来の小便器での使用時の姿勢との比較図である。
【符号の説明】
【００１３】Ｂ    本考案の、尿の飛散を防ぐ小便器
Ｃ    床面
１    足置台
２    尿受皿
３    先端
４    つま先下がりに斜度を付した足形
５    溝
６    穴
７    緑
ａ    従来の小便器で直立での姿勢
ｂ    本考案での前に突出た姿勢
【図１】
0003125762.tif 000003
【図２】
0003125762.tif 000004
【図３】
0003125762.tif 000005
【図４】
0003125762.tif 000006
【図５】
0003125762.tif 000007
【手続補正書】
【提出日】平成18年7月5日(2006.7.5)
【手続補正１】
【補正対象書類名】実用新案登録請求の範囲
【補正対象項目名】請求項２
【補正方法】変更
【補正の内容】
【請求項２】
つま先下がりに斜度を付した足形を、足置台に設けたことを特徴とする請求項１に記載の尿を防ぐ小便器。